(57)【特許請求の範囲】
【請求項１】
表示窓を有し、雷撃検知対象物に取り付け可能なケースに、複数回の雷撃を表示できる長さを有するとともに巻取りドラムの１回の巻取り分毎に形態の異なるパターンが形成された表示帯と、前記表示帯を格納する格納ドラムと、前記表示帯を所定長さ分だけ巻き取るとともに前記表示窓に対向する位置に配置された前記巻取りドラムと、雷撃を検出して駆動信号を出力する雷撃検出手段と、
弾性体からなる蓄勢手段と、前記駆動信号により前記蓄勢手段の畜力を少なくとも前記巻取りドラムの表示領域が変更される程度に移動させるように開放させる制御機構とからなり、前記駆動信号により前記表示帯に表示動作を行わせる駆動手段と、
により構成されている雷撃表示装置。
【請求項２】
前記制御機構は、前記巻取りドラムの回転に連動し、かつ凹部を有するカム板と、前記凹部から離脱する爪と、前記爪に離脱動作を行わせる電磁駆動手段とから構成されている請求項１に記載の雷撃表示装置。
【請求項３】
前記駆動手段には外部からのエネルギにより回転する駆動手段が接続されている請求項１、又は請求項２に記載の雷撃表示装置。
【発明の詳細な説明】
【技術分野】
【０００１】
本発明は、送電線等の鉄塔等に取り付けられ、雷撃の回数を容易に視認できる雷撃表示器に関する。
【背景技術】
【０００２】
落雷による保守点検や、閃絡事故の復旧工事を効率的に行うために、特許文献１に見られるような各鉄塔には雷撃表示器が鉄塔に設置されている。
この表示器は、落雷が検知されたときに、係止ピンの係止を解き、自重と表示体受けの重量によって表示体受けを開方向に回動させ、表示体を外部に露出させて落雷を表示するように構成されている。
【特許文献１】特開2002-51450号公報
【発明の開示】
【発明が解決しようとする課題】
【０００３】
しかしながら、表示体が一個しか収容されていないので、２回目以降の落雷に対しては表示することができないという問題がある。このような問題に対しては同一の表示体を複数個ケースに収容することが考えられるが、大型化するという問題がある。
本発明はこのような問題に鑑みてなされたもので、その目的とするところは複数回の落雷を確実に表示することができる雷撃表示器を提供することにある。
【課題を解決するための手段】
【０００４】
このような課題を達成するために本発明においては、表示窓を有し、雷撃検知対象物に取り付け可能なケースに、複数回の雷撃を表示できる長さを有するとともに巻取りドラムの１回の巻取り分毎に形態の異なるパターンが形成された表示帯と、前記表示帯を格納する格納ドラムと、前記表示帯を所定長さ分だけ巻き取るとともに前記表示窓に対向する位置に配置された前記巻取りドラムと、雷撃を検出して駆動信号を出力する雷撃検出手段と、弾性体からなる蓄勢手段と、前記駆動信号により前記蓄勢手段の畜力を少なくとも前記巻取りドラムの表示領域が変更される程度に移動させるように開放させる制御機構とからなり、前記駆動信号により前記表示帯に表示動作を行わせる駆動手段と、からなる。
【発明の効果】
【０００５】
本発明によれば蓄勢手段に予め溜められている機械的エネルギを開放させて表示帯を所定量ずつ移動させるため、表示手段の駆動に電気エネルギが不要となり長期間に亘って多数回の雷撃をそれぞれの雷撃を区別して表示することができる。
【発明を実施するための最良の形態】
【０００６】
以下に本発明の実施形態例を図面に基づき説明する。
図１、図２は本発明に係る雷撃表示器１の一実施例を示すものであり、また図３、図４は要部機構を示すために簡素化した構成図である。なお、後述する巻取り用のギヤードモータは、２つのドラム２１、２３の隙間に配置されているが、図３においては構造を簡素化して図示するためにはモータ３４を下方に配置した状態で示されている。
雷撃を監視する対象物、例えば鉄塔などに固定する金具１１を備えたケース１２には後述する表示帯２２を外部から容易に視認することができる表示窓１３が形成されている。
【０００７】
図２は背面側から見た構造を、また図３は側面から見た構造を示すものであって、表示窓１３に対向する位置には表示ドラムを兼ねる巻取りドラム２１が、また背面側には表示帯２２を格納しておく格納ドラム２３が平行に配置されている。
巻取りドラム２１の回転軸２１ａの一端部、この実施例では下部側に帯状バネ３１の付勢力を受けつつ回転する駆動用ドラム２４が接続されている。帯状バネ３１の他端側は蓄勢状態で収容する収容ドラム２５に接続されている。なお、収容ドラム２５は、伝達手段３２を介してギヤードモータ３４に接続され、また格納ドラム２３は、その回転軸２３ａの下端側をクラッチ機構２６を介してギヤードモータ３４が接続されている。
【０００８】
また巻取りドラム２１は、ソレノイド３５により駆動されて接離する爪３６と共同するカム板３７がその回転軸２１ａに結合されており、この爪３６により回転が制御される。この爪３６はソレノイド３５が励磁された場合にはカム板３７の凹部３７ａ（図５）から離脱できる位置まで移動して駆動用ドラム２４の拘束を開放するように構成されている。
【０００９】
なお、この実施例ではカム板３７の凹部３７ａを１箇所としているが、表示窓１３の表示領域が切り替わる程度に回転させればよく、カム板３７の凹部３７ａを等間隔に複数個所形成しても同様の作用を奏する。
【００１０】
ケース１２には落雷検知センサや、このセンサの落雷検出信号によって落雷表示動作を駆動制御する図示しない回路手段が収容されている。これらの落雷検知センサや落雷表示の駆動制御回路は周知であるので、その説明は省略する。また、回路手段やソレノイド３５を駆動する電池１４が収容され。この電池１４は、外部に太陽電池を設置して常時を充電するように構成できる。
【００１１】
この実施例において落雷検知センサにより雷撃が検出されると、ソレノイド３５が励磁される。この励磁は、好ましくは爪３６をカム板３７の凹部３７ａから後退させるに足る移動量で、かつ爪３６が凹部３７ａから離脱してカム板３７の周面に移動するに足る時間のパルスであることが好ましい。これにより、爪３６がカム板３７の凹部３７ａから離脱し、カム板３７が回動して爪３６がカム板３７の周面に当接し、以後凹部３７ａが爪３６に対向するまで帯状バネ３１の蓄勢力で回転する。
なお、今の状態ではクラッチ２６によりモータ３４や収容ドラム２５との接続が断たれているので、表示帯２２を巻き取る以外のエネルギの消費は可及的に防止されている。
【００１２】
これにより巻取りドラム２１は蓄勢手段３のトルクにより回動を開始して格納ドラム２３の表示帯２２を所定長さ分、この実施例では巻取りドラム２１の一回転分を巻き取る。巻取りドラム２１の回動に同期してカム板３７が回動し、カム板３７の段差部３７ａが爪３６に対向した時点で爪３６が段差部３７ａに落ち込んでカム板３７を拘束する。
これにより巻取りドラム２１の表面には新しいパターン、もしくは色が移動し、窓１３から新しいパターンや色が表示されることになる。言うまでも無くこれらパターンや色と回数とを対応させておくことにより雷撃を受けた回数を容易に知ることができる。
【００１３】
このように巻取りドラム２１は、蓄勢手段に予め溜められている機械エネルギにより駆動されるため、可及的に大きなエネルギを要する表示帯２２の駆動に電力がほとんど不要となるから、電池１４の消耗を可及的に抑制することができる。
【００１４】
以下、雷撃を検出する度に上記の動作を繰り返し、雷撃の都度、表示帯２２の異なるパターン、もしくは色を表示窓１３から露出させ、雷撃の回数を表示する。
【００１５】
このようにして表示帯２２の全領域が巻取りドラム２１に巻き取られてしまうと、外部端子４１に外部電源を接続してクラッチ２６を作動させてギヤードモータ３４と格納ドラム２３を接続させ、ギヤードモータ３４を駆動する。これにより巻取りドラム２１に巻き上げられている表示帯２２が格納ドラム２３に巻き戻され、同時に蓄勢手段の帯状バネ３１が巻き上げられて蓄勢される。
【００１６】
なお、上述の実施例においては付勢手段の帯状バネ３１をモータ３４により巻き上げるように構成されているが、駆動軸３８に着脱可能なレバーにより回動するようにしても同様の作用を奏する。
【図面の簡単な説明】
【００１７】
【図１】本発明の雷撃表示器の概観を示す斜視図である。
【図２】図（Ａ）、（Ｂ）は、それぞれ同上雷撃表示器の一実施例を示す背面側から見た平面図、及び側面から見た平面図である。
【図３】同上雷撃表示器の主要機構部を側面から見た示す図である。
【図４】同上主要機構部の底面から見た図である。
【図５】同上装置のカム板の一実施例を示す図である。
【符号の説明】
【００１８】
１  雷撃表示器    ３  蓄勢手段  １１  固定用金具  １２  ケース  １３  表示窓    ２１  巻取りドラム    ２２  表示帯    ２３  格納ドラム    ３１  帯状バネ      ３４  モータ    ３５  ソレノイド    ３６  爪    ３７  カム板
【図１】
0005198943.tif 000002
【図２】
0005198943.tif 000003
【図３】
0005198943.tif 000004
【図４】
0005198943.tif 000005
【図５】
0005198943.tif 000006